(57)【要約】      （修正有）【課題】より意匠性、機能性、利便性等に優れたトイレ用キャビネットを提供すること。【解決手段】トイレルームの壁材に隣接して設けられ、便器本体に対して給排水するための給水部及び排水部を収容するトイレ用キャビネットであって、前面を形成する前パネル３ａと、上面を形成するカウンターパネルとを備え、前パネル３ａが、上方前パネル部３ｃと、上方前パネル部の下方で便器本体の両側部側に配設される左右一対の下方前パネル部３ｄ、３ｅとに分割形成され、上方前パネル部３ｃを固定して設け、下方前パネル部３ｄ、３ｅを着脱可能に設ける。【選択図】図６
2020111925.tif 000002
【特許請求の範囲】
【請求項１】
トイレルームの壁材に隣接して設けられ、便器本体に対して給排水するための給水部及び排水部を収容するトイレ用キャビネットであって、
前面を形成する前パネルと、上面を形成するカウンターパネルとを備え、
前記前パネルが、上方前パネル部と、前記上方前パネル部の下方で前記便器本体の両側部側に配設される左右一対の下方前パネル部とに分割形成され、
前記上方前パネル部が固定して設けられ、
前記下方前パネル部が着脱可能に設けられている、トイレ用キャビネット。
【請求項２】
前記壁材との前後方向の間に所定の間隔をあけて設けられた固定フレームを備え、
前記上方前パネル部が前記固定フレームに固定して設けられ、
前記下方前パネル部が、前記固定フレームに固定して設けられて前記下方前パネルを支持する支持部材に具備された着脱手段によって着脱可能に設けられている、請求項１に記載のトイレ用キャビネット。
【請求項３】
前記給水部の構成要素である止水栓が前記下方前パネル部の後方に収容されている、請求項１または請求項２に記載のトイレ用キャビネット。
【請求項４】
前記前パネルと前記前パネルの側方の壁材との間の隙間を閉塞するように前記前パネルに上端側と下端側を支持させて配設される間口調整部材を備え、
前記間口調整部材は、下端側に、下端から上方に延びる固定具挿入スリット部と、前記固定具挿入スリット部から横方向に延びる位置決めスリット部とからなる切り欠き部が設けられている、請求項１から請求項３のいずれか一項に記載のトイレ用キャビネット。
【発明の詳細な説明】
【技術分野】
【０００１】
本発明は、トイレ用キャビネットに関する。
【背景技術】
【０００２】
例えば、便器装置には、トイレルームの壁側に固定フレームを設置し、固定フレームの上端側にロータンクを載置して支持するとともに、便器本体の後端側に設けられた排水孔に排水管を接続し、固定フレーム、ロータンク、排水管等を、カウンターパネル及び前パネルを備えてなるトイレ用キャビネット内に納めて構成したものがある（例えば、特許文献１、特許文献２参照）。
【０００３】
また、トイレ用キャビネットは、一般に、側面パネルを備えて構成し、この側面パネルに点検口を設けたり、前パネルを開閉可能に設けるなどして、止水栓などの操作や収容部品／装置の点検、メンテナンスなどが行えるように構成されている。
【先行技術文献】
【特許文献】
【０００４】
【特許文献１】特開２０１２−０５７２９４号公報
【特許文献２】特開２０１７−２２５４８６号公報
【発明の概要】
【発明が解決しようとする課題】
【０００５】
一方、トイレ用キャビネットの前パネルを開閉可能に設けた場合には、トイレルームに入ってトイレ用キャビネットが目に入ったときに、開閉ハンドルが見え、また扉の縦目地が入る事で、壁材と一体化して目立たなくしたいトイレ用キャビネットの箱としての存在感が増し、トイレルーム全体としての意匠性が低下してしまう。
【０００６】
このため、止水栓などの操作を可能にしつつ、トイレ用キャビネットの意匠性をよくする手法、手段の開発が強く望まれていた。
【０００７】
本発明は、意匠性、機能性、利便性等に優れたトイレ用キャビネットを提供することを目的とする。
【課題を解決するための手段】
【０００８】
本発明者は、トイレ用キャビネットの意匠性、機能性、利便性を向上させる手段を見出し、本発明を完成するに至った。
【０００９】
（１）本発明は、トイレルーム（例えば、後述のトイレルーム１００）の壁材（例えば、後述の後壁１０１）に隣接して設けられ、便器本体（例えば、後述の便器本体４）に対して給排水するための給水部（例えば、後述の給水部１０）及び排水部（例えば、後述の排水部１２）を収容するトイレ用キャビネット（例えば、後述のトイレ用キャビネット３）であって、前面を形成する前パネル（例えば、後述の前パネル３ａ）と、上面を形成するカウンターパネル（例えば、後述のカウンターパネル３ｂ）とを備え、前記前パネルが、上方前パネル部（例えば、後述の上方前パネル部３ｃ）と、前記上方前パネル部の下方で前記便器本体の両側部側に配設される左右一対の下方前パネル部（例えば、後述の下方前パネル部３ｄ、３ｅ）とに分割形成され、前記上方前パネル部が固定して設けられ、前記下方前パネル部が着脱可能に設けられていることを特徴とする。
【００１０】
（２）本発明は、上記（１）において、前記壁材との前後方向（例えば、後述の前後方向Ｔ１）の間に所定の間隔をあけて設けられた固定フレーム（例えば、後述の固定フレーム８）を備え、前記上方前パネル部が前記固定フレームに固定して設けられ、前記下方前パネル部が、前記固定フレームに固定して設けられて前記下方前パネルを支持する支持部材（例えば、後述の支持部材５０）に具備された着脱手段（例えば、後述の着脱手段５１）によって着脱可能に設けられていてもよい。
【００１１】
（３）本発明は、上記（１）または（２）において、前記給水部の構成要素である止水栓が前記下方前パネル部の後方に収容されていてもよい。
【００１２】
（４）本発明は、上記（１）から（３）のいずれかにおいて、前記前パネルと前記前パネルの側方の壁材（例えば、後述の側壁１０２）との間の隙間を閉塞するように前記前パネルに上端側と下端側を支持させて配設される間口調整部材（例えば、後述の間口調整部材５２）を備え、前記間口調整部材は、下端側に、下端から上方に延びる固定具挿入スリット部（例えば、後述の固定具挿入スリット部５３ａ）と、前記固定具挿入スリット部から横方向に延びる位置決めスリット部（例えば、後述の位置決めスリット部５３ｂ）とからなる切り欠き部（例えば、後述の切り欠き部５３）が設けられていてもよい。
【発明の効果】
【００１３】
本発明においては、前パネルを上方前パネル部と便器本体の両側部側の左右一対の下方前パネル部とに分割形成し、トイレルームに入った際に目に入りやすい上方前パネル部を固定して設け、便器本体の両側部側で目に入りにくい下方前パネル部を着脱可能に設けることにより、好適に意匠性を確保することができる。
【００１４】
また、上方前パネル部を固定して設けた場合であっても、下方前パネル部が取り外せることで、この部分を点検口とすることができ、トイレ用キャビネットの内部の止水栓等の操作や、コンセント周りの清掃、収容部品／装置の点検、メンテナンスなどを好適に行うことができる。
【００１５】
よって、本発明によれば、意匠性、機能性、利便性等に優れたトイレ用キャビネットを実現することが可能になる。
【図面の簡単な説明】
【００１６】
【図１】本発明の一実施形態に係るトイレルーム、壁掛け便器、トイレ用キャビネットを示す正面図である。
【図２】本発明の一実施形態に係る壁掛け便器（トイレ用キャビネット）を示す平面図である。
【図３】本発明の一実施形態に係る壁掛け便器、トイレ用キャビネットを示す側面図である。
【図４】本発明の一実施形態に係る壁掛け便器、トイレ用キャビネットを示す斜視図である。
【図５】本発明の一実施形態に係る壁掛け便器の固定フレームを示す斜視図である。
【図６】本発明の一実施形態に係る壁掛け便器の固定フレーム、トイレ用キャビネットの前パネルを示す斜視図である。
【図７】本発明の一実施形態に係る壁掛け便器のトイレ用キャビネットの下方前パネル部を着脱可能に取り付けるための支持部材及び着脱手段を示す斜視図である。
【図８】本発明の一実施形態に係る壁掛け便器のトイレ用キャビネットの下方前パネル部、及び下方前パネルを着脱可能に取り付けるための着脱手段を示す斜視図である。
【図９】本発明の一実施形態に係る壁掛け便器のトイレ用キャビネットの間口調整部材の下端側を示す図である。
【発明を実施するための形態】
【００１７】
以下、図１から図９を参照し、本発明の一実施形態に係るトイレ用キャビネットについて説明する。
【００１８】
ここで、本実施形態では、本発明に係るトイレ用キャビネットが壁掛け便器（壁掛け式の便器装置）を備えたトイレルームに適用されるものとして説明を行うが、勿論、本発明は床設置式の便器装置を備えた場合でも適用可能である。
【００１９】
はじめに、図１は、本実施形態の壁掛け便器２を設置したトイレルーム１００の内部を示した図であり、本実施形態のトイレルーム１００は、略直方形の空間で、長手方向がトイレルーム１００の手前側の入口（不図示）と入口に対向する奥側の後壁（壁材）１０１とを結ぶ前後方向Ｔ１に沿っている。
【００２０】
トイレルーム１００は、奥側の後壁１０１と、後壁１０１の幅方向Ｔ２の一方と他方の一対の側壁１０２と、出入口用の扉が設けられた前壁（不図示）と、床構造１０３とを備えて構成されている。
【００２１】
また、トイレルーム１００は、図２に示すように、各角部に建築部材の柱材の隅柱１０４を設けて構成され、後壁１０１の壁裏には、幅方向Ｔ２の両角部に設けられた左右一対の隅柱１０４に架け渡すようにして補強下地（補強受け木）１０５が配設されている。また、各隅柱１０４には柱側受け木１０６が取り付けられている。柱側受け木１０６は、上下方向に沿って延設されている。
【００２２】
なお、本実施形態において、上下方向Ｔ３は天地方向であり、幅方向Ｔ２はトイレルーム１００の入口側から後壁１０１に向かって左右を結ぶ横方向を意味する。
【００２３】
そして、トイレルーム１００には、図１から図３に示すように、トイレ用キャビネット３や便器本体４などを備えてなる壁掛け便器２が設置され、奥側の後壁１０１に一体にトイレ用キャビネット３が設けられ、トイレ用キャビネット３の前パネル３ａから便器本体４が片持ち状態で前方に突き出すように設けられている。
【００２４】
具体的に、本実施形態の壁掛け便器装置２は、便器本体４、便座５及び便蓋６と、便器本体４及びロータンク７等を支持する固定フレーム８と、便器本体４に水を供給するロータンク７及び給水管９からなる給水部１０と、便器本体４から排水本管１１に排水を排出するための排水部１２と、固定フレーム８、給水部１０、排水部１２等を収容するトイレ用キャビネット３とを備えて構成されている。
【００２５】
便器本体４は、図４に示すように、上部が開口した凹状のボウル部４ａを有する陶器などの容器であり、ボウル部４ａの底部に汚物等を排出する排水孔（排水口）４ｂを備えて形成されている。
【００２６】
図１から図３に示すように、便座５は、便器本体４の上に配設され、使用者が着座する部材であり、便蓋６は、便器本体４のボウル部４ａの上部開口を覆う蓋材であり、それぞれ、便器本体４の後方側に配されたヒンジ部で接続され、ヒンジ部の幅方向Ｔ２に沿う回動軸周りに回動可能、ひいては便器本体４のボウル部４ａを開閉可能に設けられている。
【００２７】
固定フレーム８は、図４及び図５（図１から図３）に示すように、便器本体４の後端側を接続して便器本体４を片持ち状態で支持するとともにロータンク７（給水部１０）を支持するフレーム本体部１５と、フレーム本体部１５を隅柱１０４、補強下地１０５、柱側受け木１０６などの建築部材に接続して支持するための接続支持部１６とを備えて構成されている。
【００２８】
フレーム本体部１５は、幅方向Ｔ２に所定の間隔をあけて立設された一対の縦材（縦桟）１７、１８と、一対の縦材１７、１８の上端部側に接続し、幅方向Ｔ２に延設された横材（上桟）１９と、横材１９よりも下方に配設され、一端を一方の縦材１７に、他端を他方の縦材１８にそれぞれ接続して幅方向Ｔ２に沿って架設された連結横材（下桟）２０とを備えている。
【００２９】
フレーム本体部１５は、例えば、縦材１７、１８が角鋼管、横材１９がＬ字アングル、連結横材２０がコの字型板金を用いて形成されている。なお、横材１９は必ずしもＬ字アングルでなくてもよく、例えば、Ｌ字以外のアングル（他の形鋼材：鋼材に限定する必要もない）であってもよい。
【００３０】
本実施形態のフレーム本体部１５は、横材１９のＬ字アングルの一片部１９ａ側をその板面を前後方向Ｔ１に向け、一対の縦材１７、１８の前面に面接触するように配し、他片部１９ｂ側をその板面を上下方向Ｔ３に向け、一対の縦材１７、１８の上端に当接するように配しつつ、溶接やボルト接合などの適宜手段を用いて、一対の縦材１７、１８に一体に接続固定されている。
【００３１】
フレーム本体部１５は、横材１９が一対の縦材１７、１８の間隔よりも大きな幅寸法（長さ）で形成され、横材１９の一端部側が一方の縦材１７よりも幅方向Ｔ２外側に、横材１９の他端部側が他方の縦材１８よりも幅方向Ｔ２外側にそれぞれ延出して形成されている。これにより、フレーム本体部１５は、略鳥居形を呈するように形成されている。
【００３２】
また、フレーム本体部１５は、一対の縦材１７、１８のそれぞれの所定の高さ位置に、便器固定ボルト２１が前方に突出して取り付けられている。これにより、フレーム本体部１５は、便器本体４の後端側に設けられたボルト挿通孔に便器固定ボルト２１を挿通しナットを締結することによって、フレーム本体部１５の前方側に配された便器本体４を片持ち状態で接続して支持するように構成されている。
【００３３】
フレーム本体部１５には、ロータンク７を支持するタンク支持部材２２が着脱可能に取り付けられている。
【００３４】
タンク支持部材２２は、フレーム本体部１５の後方側でロータンク７を載置台２２ａ上に載置して支持するように形成されており、例えば、一対の縦材１７、１８にそれぞれ穿設されたボルト挿通孔にボルト接合するなどし、フレーム本体部１５の後方側に配設されている。
【００３５】
本実施形態においては、一対の縦材１７、１８にそれぞれ、上下方向Ｔ３に所定の間隔をあけて複数のボルト挿通孔が設けられ、任意のボルト挿通孔を用いてボルト接合することにより、タンク支持部材２２の載置台２２ａの高さ位置ひいてはロータンク７の設置位置を任意に調節できるように構成されている。
【００３６】
フレーム本体部１５には、図３から図５に示すように、便器本体４の排水孔４ｂと、排水本管１１に繋がる排水本管接続部２３とを接続するための排水管接続部材２４が取り付けられている。
【００３７】
排水管接続部材２４は、一対の縦材１７、１８にそれぞれ両側端部を接続して一対の縦材１７、１８の間に架設される固定板部２５を備えている。また、排水管接続部材２４は、略円筒状に形成され、固定板部２５の中央を貫通するように一体に設けられ、フレーム本体部１５の前方側に突出して配された便器排水孔接続部２６を便器本体４の排水孔４ｂに嵌合して固定し、フレーム本体部１５の後方側に突出して配された配管接続部２７に配管２８を嵌合して固定し、便器本体４の排水孔４ｂと排水本管１１とを接続して連通させるように構成されている。
【００３８】
フレーム本体部１５を隅柱１０４、補強下地１０５、柱側受け木１０６などの建築部材に接続して支持するための接続支持部１６は、図５（図２から図４）に示すように、フレーム本体部１５の一対の縦材１７、１８の下端部をトイレルーム１００の床構造１０３に接続するための下側接続部３０と、フレーム本体部１５の横材（上桟）１９を後方の壁裏の建築部材（１０４、１０５、１０６）に接続するための上側接続部３１とを備えている。
なお、本実施形態における「補強木」、「補強下地」、「柱側受け木」は必ずしも木材、木質材でなくてもよく、それぞれ、「補強材」、「補強下地材」、「柱側受け材」を意味する。
【００３９】
下側接続部３０は、各縦材１７、１８の下端に溶接などして取り付けられた取付板３０ａを備え、例えば、取付板３０ａに貫通形成された貫通孔を通じて床構造１０３にビス止めするなどし、フレーム本体部１５を垂直に立設した状態で支持する。
【００４０】
なお、下側接続部３０を接続してフレーム本体部１５を支持する本実施形態の床構造１０３は、例えば木造住宅の場合、２本の平行な大引きと、大引きの上に所定間隔をあけて一体に配設されるとともに大引きと直交して並設された複数の根太と、これら根太の上に取り付けて敷設された耐水合板と、耐水合板の上面全体に貼設された化粧板とを備えて構成されている。
また、床構造１０３には、上面から下面に貫通する排水管挿通孔３２が所定位置に設けられている。
【００４１】
上側接続部３１は、フレーム本体部１５から後方側に間隔をあけて後壁１０１側に配設される補強木３５と、補強木３５とフレーム本体部１５の横材１９とを連結する連結部材３６と、幅方向Ｔ２に沿って水平の横方向に延設された補強木３５の両端部と後壁側の建築部材（１０４、１０５、１０６）とを接続して補強木３５を固定するための固定具３７とを備えて構成されている。
【００４２】
補強木３５は、例えば、矩形平板状に形成され、裏面をトイレルーム１００の後壁１０１の壁材に面接触させ、幅方向Ｔ２の長手方向を水平の横方向に向けて配設される。補強木３５は、フレーム本体部１５の横材１９と対峙する高さ位置に配設される。補強木３５は、トイレルーム１００を構成する後壁１０１の壁材の幅寸法や左右一対の隅柱１０４の間隔に応じ、切断するなどして現場に適した長さに調整して使用される。
【００４３】
連結部材３６は、例えば、全ねじボルト（一部にねじ部を備えたねじボルトであっても構わない）であり、補強木３５の前面にビス止めするなどして固着した板付きナット３８に一端を螺着し、フレーム本体部１５の横材１９の前後方向Ｔ１を向く一片部１９ａに貫通形成したボルト挿通孔に他端側を挿通するとともにナットを螺着して配設される。また、本実施形態では、縦材１７、１８よりも幅方向Ｔ２外側に延出したフレーム本体部１５の横材１９の両端部側（各延出部１９ｃ）にボルト挿通孔が貫通形成され、各ボルト挿通孔に前後方向Ｔ１に対向する補強木３５の位置に板付きナット３８が配設されている。
【００４４】
これにより、左右一対の全ねじボルトである連結部材３６は、同高さ位置で平行に配設（並設）されるとともに、フレーム本体部１５の一対の縦材１７、１８の間隔よりも大きな所定の間隔をあけて配設され、後壁１０１の壁材の所定位置に面接触した補強木３５（ひいては壁裏の建築部材）とフレーム本体部１５の横材１９（フレーム本体部１５の上端部側）とを連結する。
【００４５】
また、このとき、左右一対の連結部材３６の間の幅方向Ｔ２の間隔、及びフレーム本体部１５と後壁１０１の間の前後方向Ｔ１の間隔は、左右一対の連結部材３６の間を通してロータンク７を斜めにすることなく上下に出し入れできる寸法とされている。
【００４６】
さらに、連結部材３６が全ねじボルトであることにより、補強材３５とフレーム本体部１５の前後方向Ｔ１の間隔を自在に調節（調整）することが可能になる。これにより、フレーム本体部１５の設置位置ひいては便器本体４の設置位置を自在に調節することが可能になる。さらに、後壁１０１に不陸がある場合など、一対の連結部材３６の長さをそれぞれ調節することで、好適に補強材３５及びフレーム本体部１５を位置決めして配設することが可能になる。
【００４７】
固定具３７は、例えば、補強木３５の両端部側にそれぞれ接続し、補強木３５の各端部と建築部材（１０４、１０５、１０６）とを接続するための固定金具であり、補強木３５の一端部又は他端部に接続する補強木側接続部４０と、建築部材の壁材１０１を通じて壁裏に配された建築部材（補強下地１０５や柱側受け木１０６）に接続する壁側接続部４１と、建築部材の柱材（隅柱１０４）に接続する柱側接続部４２とを備えている。
【００４８】
そして、補強木３５に連結部材３６を介してフレーム本体部１５が接続することで、フレーム本体部１５の一対の縦材１７、１８に後端部側をボルト接続して便器本体４を設け、フレーム本体部１５の後方側にタンク支持部材２２を取り付け、ロータンク７を載置して設けた場合であっても、フレーム本体部１５ひいては固定フレーム８によって便器本体４、ロータンク７を好適に支持して配設することができる。
【００４９】
図３、図５に示すように、フレーム本体部１５に取り付けられた排水管接続部材２４の便器排水孔接続部２６に便器本体４の排水孔４ｂが嵌合して接続され、排水管接続部材２４の配管接続部２７ひいては便器本体４の排水孔４ｂと、排水本管１１とが、蛇腹管やエルボ管、直管などの配管２８を用い、また、床構造１０３の排水管挿通孔３２を通じて接続される。
【００５０】
一方、本実施形態のトイレ用キャビネット３は、図１から図５、図６に示すように、フレーム本体部１５に支持させ、便器本体４とフレーム本体部１５の間に後壁１０１と平行に配設されて前面（化粧面）を形成する前パネル３ａと、上面を形成し、前パネル３ａと後壁１０１との間の空間を閉塞するカウンターパネル（天板）３ｂとを備えて構成されている。これにより、トイレ用キャビネット３内に、固定フレーム８、ロータンク７等の給水部１０、配管２８等の排水部１２が収容される。
【００５１】
カウンターパネル３ｂは、幅方向Ｔ２に所定の間隔をあけて補強木３５に取り付けられた２つのヒンジ部４９に接続され、ヒンジ部４９の幅方向Ｔ２に沿う回動軸周りに回動可能、すなわち、トイレ用キャビネット３の上部開口を開閉可能に設けられている。
なお、カウンターパネル３ｂは、着脱可能、すなわち取り外し可能に設けられてトイレ用キャビネット３の上部開口を開閉できるように構成されていてもよい。
【００５２】
本実施形態の前パネル３ａは、上方前パネル部３ｃと、上方前パネル部３ｃの下方で便器本体４の両側部側に配設される左右一対の下方前パネル部３ｄ、３ｅとに分割形成されている。
【００５３】
上方前パネル部３ｃは、略方形平板状の一枚の板材であり、固定フレーム８のフレーム本体部１５の一対の縦材１７、１８に固定して設けられるとともに、概略、便器本体４から上方の部分の前パネル３ａを形成するように配設されている。
【００５４】
左右一対の下方前パネル部３ｄ、３ｅは、それぞれ略方形平板状に形成され、上方前パネル部３ｃと上下方向Ｔ３に隣接し、便器本体４の側方の前パネル３ａを形成するように配設されている。
【００５５】
より具体的に、本実施形態の前パネル３ａにおいては、図１に示すように、上方前パネル部３ｃと左右一対の下方前パネル部３ｄ、３ｅがそれぞれ略方形平板状に形成され、上方前パネル部３ｃの下端と左右一対の下方前パネル部３ｄ、３ｅのそれぞれの上端とが隣接し（突き合わされ）、この隣接部分に、幅方向Ｔ２に沿う水平の横方向に直線状に延びる横分割線Ｓ１が形成されるように、上方前パネル部３ｃ、左右一対の下方前パネル部３ｄ、３ｅが配設されている。
【００５６】
また、このとき、上方前パネル部３ｃの下端と左右一対の下方前パネル部３ｄ、３ｅのそれぞれの上端とが隣接して形成される横分割線Ｓ１が、便器本体４の上端よりも下方に配されるように、上方前パネル部３ｃ、左右一対の下方前パネル部３ｄ、３ｅが設けられて前パネル３ａが形成されている。
【００５７】
さらに、左側の下方前パネル部３ｄと右側の下方前パネル部３ｅとの幅方向Ｔ２の間には、言い換えると、便器本体４の後方側には、フレーム本体部１５の一対の縦材１７、１８に接続した便器本体４の後端部側を囲繞するように、且つ、上方前パネル部３ｃの下端と上端とが隣接し、左右の各下方前パネル部３ｄ、３ｅと側端同士がそれぞれ隣接するようにして、便器後方パネル部３ｆが配設されている。
【００５８】
この便器後方パネル部３ｆは、上方前パネル部３ｃ、左右一対の下方前パネル部３ｄ、３ｅと、前面のパネル面が面一（略面一）となるように配設され、上方前パネル部３ｃ、左右一対の下方前パネル部３ｄ、３ｅとともに前パネル３ａを形成している。また、便器後方パネル部３ｆの上端と上方前パネル部３ｃの下端とが隣接して、幅方向Ｔ２に沿う水平の横方向に直線状に延び、便器本体４の上端よりも下方に配される前記横分割線Ｓ１が形成されている。さらに、便器後方パネル部３ｆの上端と左右一対の下方前パネル部３ｄ、３ｅのそれぞれの側端とが隣接して、上下方向Ｔ３に直線状に延びる縦分割線Ｓ２が形成されている。
【００５９】
なお、便器後方パネル部３ｆは単数で形成されていても、複数に分割して形成されていてもよい。
【００６０】
図６から図８に示すように、固定フレーム８のフレーム本体部１５には、排水管接続部材２４の前方に重なるような形で板状の支持部材５０が取り付けられている。また、各下方前パネル部３ｄ、３ｅと支持部材５０、且つ各下方前パネル部３ｄ、３ｅと上方前パネル部３ｃにはそれぞれ、所定位置に下方前パネル３ｄ、３ｅを着脱可能に支持部材５０に取り付け、便器本体４の側方の前パネル３ａを形成するように配設するための着脱手段５１が設けられている。
【００６１】
各下方前パネル部３ｄ、３ｅと上方前パネル部３ｃを着脱可能に取り付けるための着脱手段５１としては、例えば、互いに係合するダボ穴５１ａとダボ５１ｂが用いられている。
【００６２】
各下方前パネル部３ｄ、３ｅと支持部材５０を着脱可能に取り付けるための着脱手段としては、例えば、支持部材５０に取り付けられたローラー（ローラキャッチャ）やマグネット、ボールなどのキャッチャ本体５１ｃと、各下方前パネル部３ｄ、３ｅに取り付けられたストライク５１ｄが用いられている。なお、着脱手段５１は、着脱可能であれば、マジックテープ（登録商標）などであってもよく、必ずしも本実施形態のように構成されていなくてもよい。
【００６３】
また、本実施形態では、給水部１０の構成要素である止水栓（不図示）が下方前パネル部３ｄ（３ｅ）の後方に収容されている。
【００６４】
そして、上記構成からなる本実施形態のトイレ用キャビネット３においては、前パネル３ａを上方前パネル部３ｃと便器本体４の両側部側の左右一対の下方前パネル部３ｄ、３ｅとに分割形成し、トイレルーム１００に入った際に目に入りやすい上方前パネル部３ｃを固定して設け、便器本体４の両側部側で目に入りにくい下方前パネル部３ｄ、３ｅを着脱可能に設けることにより、好適に意匠性を確保することができる。
【００６５】
また、上方前パネル部３ｃを固定して設けた場合であっても、下方前パネル部３ｄ、３ｅが取り外せることで、この部分を点検口とすることができ、トイレ用キャビネット３の内部の止水栓等の操作や、コンセント周りの清掃、収容部品／装置の点検、メンテナンスなどを好適に行うことができる。
【００６６】
よって、本実施形態のトイレ用キャビネット３によれば、意匠性、機能性、利便性等に優れたトイレ用キャビネット３を実現することが可能になる。
【００６７】
本実施形態のトイレ用キャビネット３においては、給水部１０の構成要素である止水栓が下方前パネル部３ｄ（３ｅ）の後方に収容されていることにより、別途点検口を設ける必要がなく、下方前パネル部３ｄ（３ｅ）を取り外して容易に止水栓を操作することが可能になる。
【００６８】
ここで、本実施形態のトイレ用キャビネット３においては、図１、図２、図４、図６に示すように、前パネル３ａと前パネル３ａの側方の壁材（側壁１０２）との間の隙間を閉塞するように前パネル３ａに上端側と下端側を支持させて間口調整部材５２を備えている。
【００６９】
前パネル３ａの上方前パネル部３ｃを固定フレーム８のフレーム本体部１５に固定して設けた場合、例えば、上方前パネル部３ｃをフレーム本体部１５に固定して取り付けた後に、上方前パネル部３ｃと後壁１０１の間に上方から間口調整部材５２を挿入するとともに前記隙間を閉塞するように所定位置に位置決めし、間口調整部材５２の上端側と下端側とを前パネル３ａ等に固着して間口調整部材５２を所定位置に設置することになる。
【００７０】
このとき、上方前パネル部３ｃと後壁１０１の間に上方から間口調整部材５２を挿入してから、間口調整部材５２の下端側を固定金具（固定具）で固定することが難しくなる。
【００７１】
これに対し、本実施形態では、図９に示すように、間口調整部材５２の下端側に、下端から上方に延びる固定具挿入スリット部５３ａと、固定具挿入スリット部５３ａから横方向に延びる位置決めスリット部５３ｂとからなる切り欠き部５３を予め設けて、間口調整部材５２を形成する。
【００７２】
そして、上方前パネル部３ｃと後壁１０１の間に上方から間口調整部材５２を挿入する際に、切り欠き部５３の固定具挿入スリット部５３ａに下端側を固定する固定金具を挿通させ、さらに固定金具を位置決めスリット部５３ｂ内で移動させつつ、間口調整部材５２を横方向にスライドさせ、間口調整部材５２を所定位置に位置決めする。
【００７３】
これにより、前パネル３ａの上方前パネル部３ｃを固定フレーム８のフレーム本体部１５に固定して設けた場合であっても、容易に間口調整部材５２を設置することができる。すなわち、好適な施工性を確保することが可能になる。
【００７４】
以上、本発明に係るトイレ用キャビネットの一実施形態について説明したが、本発明は上記の一実施形態に限定されるものではなく、その趣旨を逸脱しない範囲で適宜変更可能である。
【符号の説明】
【００７５】
２  壁掛け便器（壁掛け式の便器装置）
３  トイレ用キャビネット
３ａ  前パネル
３ｂ  カウンターパネル
３ｃ  上方前パネル部
３ｄ  下方前パネル部
３ｅ  下方前パネル部
３ｆ  便器後方パネル部
４  便器本体
７  ロータンク
８  固定フレーム
１０  給水部
１２  排水部
１５  フレーム本体部
１６  接続支持部
１７  縦材
１８  縦材
１９  横材（Ｌ字アングル）
２０  連結横材
２２  タンク支持部材
３０  下側接続部
３１  上側接続部
３５  補強木
３６  連結部材（全ねじボルト）
３７  固定具
５０  支持部材
５１  着脱手段
５１ａ  ダボ穴
５１ｂ  ダボ
５１ｃ  キャッチャ本体
５１ｄ  ストライク
５２  間口調整部材
５３  切り欠き部
５３ａ  固定具挿入スリット部
５３ｂ  位置決めスリット部
１００  トイレルーム
１０１  後壁（壁材、建築部材）
１０２  側壁
１０３  床構造
１０４  隅柱（柱材、建築部材）
１０５  補強下地（補強受け木、建築部材）
１０６  柱側受け木（受け木、建築部材）
Ｈ  収容空間
Ｓ１  横分割線
Ｓ２  縦分割線
Ｔ１  前後方向
Ｔ２  幅方向
Ｔ３  上下方向
【図１】
2020111925.tif 000003
【図２】
2020111925.tif 000004
【図３】
2020111925.tif 000005
【図４】
2020111925.tif 000006
【図５】
2020111925.tif 000007
【図６】
2020111925.tif 000008
【図７】
2020111925.tif 000009
【図８】
2020111925.tif 000010
【図９】
2020111925.tif 000011